(57)【要約】【課題】画像を適切に表示することができる画像の受信方法を提供する。【解決手段】この受信方法は、第１の画像と、その第１の画像の画像信号特性を示す第１の画像信号特性情報とを受信し（ステップＳ２１）、第２の画像と、その第２の画像の画像信号特性を示す第２の画像信号特性情報とを受信し（ステップＳ２２）、第１および第２の画像信号特性情報が異なる場合には、第１の画像を第２の画像の画像信号特性を有する第３の画像に変換し（ステップＳ２３）、同一の画像信号特性を有する第２および第３の画像を同時に表示する（ステップＳ２４）。【選択図】図１５Ａ
2020198612.tif 000002
【特許請求の範囲】
【請求項１】
第１の画像と、前記第１の画像の画像信号特性を示す第１の画像信号特性情報とを受信し、
第２の画像と、前記第２の画像の画像信号特性を示す第２の画像信号特性情報とを受信し、
前記第１および第２の画像信号特性情報が異なる場合には、前記第１の画像を前記第２の画像の画像信号特性を有する第３の画像に変換し、
同一の前記画像信号特性を有する前記第２および第３の画像を同時に表示する
受信方法。
【請求項２】
第１の画像と、前記第１の画像の画像信号特性を示す第１の画像信号特性情報とを受信する第１の受信部と、
第２の画像と、前記第２の画像の画像信号特性を示す第２の画像信号特性情報とを受信する第２の受信部と、
前記第１および第２の画像信号特性情報が異なる場合には、前記第１の画像を前記第２の画像の画像信号特性を有する第３の画像に変換する変換部と、
同一の前記画像信号特性を有する前記第２および第３の画像を同時に表示する表示部と
を備える受信装置。
【発明の詳細な説明】
【技術分野】
【０００１】
本発明は、画像を送信する送信方法、または、その画像を受信する受信方法などに関する。
【背景技術】
【０００２】
近年、映像の輝度のダイナミックレンジをＳＤＲ（Ｓｔａｎｄａｒｄ  Ｄｙｎａｍｉｃ  Ｒａｎｇｅ）からＨＤＲ（Ｈｉｇｈ  Ｄｙｎａｍｉｃ  Ｒａｎｇｅ）に広げることが検討されている（例えば、非特許文献１参照）。また、放送局では、通常の放送（基幹放送）によって映像を送信するだけでなく、データ放送によっても文字またはグラフィックなどを送信している。
【先行技術文献】
【非特許文献】
【０００３】
【非特許文献１】Ｗｈｉｔｅ  Ｐａｐｅｒ  Ｂｌｕ−ｒａｙ（登録商標）  Ｄｉｓｃ  Ｒｅａｄ−Ｏｎｌｙ  Ｆｏｒｍａｔ（Ｕｌｔｒａ  ＨＤ  Ｂｌｕ−ｒａｙ）Ａｕｄｉｏ  Ｖｉｓｕａｌ  Ａｐｐｌｉｃａｔｉｏｎ  Ｆｏｒｍａｔ  Ｓｐｅｃｉｆｉｃａｔｉｏｎｓ  ｆｏｒ  ＢＤ−ＲＯＭ  Ｖｅｒｓｉｏｎ  ３．０  Ｊｕｌｙ  ２０１５，Ｂｌｕ−ｒａｙ  Ｄｉｓｃ  Ａｓｓｏｃｉａｔｉｏｎ
【発明の概要】
【発明が解決しようとする課題】
【０００４】
しかしながら、非特許文献１のＨＤＲの画像およびＳＤＲの画像が放送などによって送信される場合には、受信装置はそれらの画像を適切に表示することができないという問題がある。
【０００５】
そこで、本発明は、画像を適切に表示することができる送信方法などを提供する。
【課題を解決するための手段】
【０００６】
本発明の一態様に係る受信方法は、第１の画像と、前記第１の画像の画像信号特性を示す第１の画像信号特性情報とを受信し、第２の画像と、前記第２の画像の画像信号特性を示す第２の画像信号特性情報とを受信し、前記第１および第２の画像信号特性情報が異なる場合には、前記第１の画像を前記第２の画像の画像信号特性を有する第３の画像に変換し、同一の前記画像信号特性を有する前記第２および第３の画像を同時に表示する。
【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の送信方法は、画像を適切に表示することができる。
【図面の簡単な説明】
【０００９】
【図１】図１は、実施の形態における送受信システムの構成の一例と、受信装置に表示される画面の一例とを示す図である。
【図２】図２は、実施の形態における受信装置がＨＤＲの主映像とＳＤＲの副映像とを同時に表示する例を示す図である。
【図３Ａ】図３Ａは、実施の形態における送信装置の構成の一例を示すブロック図である。
【図３Ｂ】図３Ｂは、実施の形態における送信装置の構成の他の例を示すブロック図である。
【図４】図４は、実施の形態における受信装置が基幹放送の映像とデータ放送の映像などとを同時に表示する例を示す図である。
【図５】図５は、実施の形態における送信装置の構成の他の例を示すブロック図である。
【図６】図６は、実施の形態における送信装置の構成の他の例を示すブロック図である。
【図７】図７は、実施の形態におけるＨＤＲのＥＯＴＦおよびＳＤＲのＥＯＴＦを示す図である。
【図８】図８は、実施の形態における受信装置が基幹放送の字幕を他の映像と同時に表示する例を示す図である。
【図９】図９は、実施の形態における受信装置の構成の一例を示すブロック図である。
【図１０】図１０は、実施の形態における受信装置の処理動作の一例を示すフローチャートである。
【図１１】図１１は、実施の形態における受信装置によって表示される画像の遷移の一例を示す図である。
【図１２】図１２は、実施の形態における受信装置の構成の他の例を示すブロック図である。
【図１３】図１３は、実施の形態における受信装置の処理動作の他の例を示すフローチャートである。
【図１４Ａ】図１４Ａは、本発明の一態様に係る送信方法を示すフローチャートである。
【図１４Ｂ】図１４Ｂは、本発明の一態様に係る送信装置の構成を示すブロック図である。
【図１５Ａ】図１５Ａは、本発明の一態様に係る受信方法を示すフローチャートである。
【図１５Ｂ】図１５Ｂは、本発明の一態様に係る受信装置の構成を示すブロック図である。
【発明を実施するための形態】
【００１０】
（本発明の基礎となった知見）
本発明者は、「背景技術」の欄において記載した非特許文献１に関し、以下の問題が生じることを見出した。
【００１１】
非特許文献１では、グラフィックがＳＤＲで作成されていることを前提としており、そのグラフィックが重畳される映像がＨＤＲ映像である場合に、グラフィックのダイナミックレンジをＳＤＲからＨＤＲに変換して、そのグラフィックをＨＤＲで表示している。
【００１２】
現在は、グラフィックが重畳される映像は、ＨＤＲ映像よりもＳＤＲ映像の方が多い。したがって、ＳＤＲで作成されたグラフィックを提供し、グラフィックが重畳される映像がＨＤＲ映像の場合にのみ、そのグラフィックのダイナミックレンジをＳＤＲからＨＤＲに変換することが合理的である。
【００１３】
しかしながら、今後、ＨＤＲ映像が普及すると、グラフィックがＳＤＲで表示されるケースよりも、グラフィックのダイナミックレンジがＨＤＲに変換されて、そのグラフィックがＨＤＲで表示されるケースの方が多くなる可能性がある。一般に、ＳＤＲで作成されたグラフィックをＨＤＲのグラフィックに変換して、そのグラフィックをＨＤＲで表示するよりも、ＨＤＲで作成されたグラフィックをＨＤＲで表示する方が、グラフィックの作成者が意図した通りの表示がなされるという点で好ましい。
【００１４】
そのため、将来的にはＨＤＲ映像の普及に伴ってグラフィックについても予めＨＤＲで作成されて提供される可能性がある。
【００１５】
本願の発明者は、上記可能性への気付きをきっかけに詳細な検討を行い、後述の実施の形態で説明されている、ＳＤＲで作成されたグラフィックの提供とＨＤＲで作成されたグラフィックの提供とが混在するという従来では想定されていなかった環境における様々な課題とその解決手段に想到したものである。
【００１６】
このような様々な解決するために、本発明の一態様に係る送信方法は、データ放送用の画像と、当該画像の画像信号特性としてＯＥＴＦ（Ｏｐｔｏ−Ｅｌｅｃｔｒｉｃａｌ  Ｔｒａｎｓｆｅｒ  Ｆｕｎｃｔｉｏｎ）またはＥＯＴＦ（Ｅｌｅｃｔｒｏ−Ｏｐｔｉｃａｌ  Ｔｒａｎｓｆｅｒ  Ｆｕｎｃｔｉｏｎ）を示す画像信号特性情報とを取得し、前記データ放送用の画像および前記画像信号特性情報を含むデータ放送信号を、データ放送によって送信する。
【００１７】
これにより、データ放送用の画像（例えばグラフィック）のダイナミックレンジがＳＤＲであってもＨＤＲであっても、それに応じたＯＥＴＦまたはＥＯＴＦを示す画像信号特性情報を含むデータ放送信号がデータ放送によって送信される。つまり、ＳＤＲで作成されたグラフィックのデータ放送による提供と、ＨＤＲで作成されたグラフィックのデータ放送による提供とが混在する環境であっても、それに応じたＯＥＴＦまたはＥＯＴＦがそのグラフィックと共にデータ放送によって送信される。したがって、このような環境であっても、テレビなどの受信装置は、そのＯＥＴＦまたはＥＯＴＦを用いることにより、データ放送用のグラフィックなどの画像を適切なダイナミックレンジで表示することができる。
【００１８】
また、前記画像信号特性情報の取得では、前記画像が文字またはグラフィックである場合、前記ＯＥＴＦまたは前記ＥＯＴＦの代わりに、前記画像に含まれる各コード値に対するオフセットまたはスケールファクタを示す前記画像信号特性情報を取得してもよい。
【００１９】
これにより、受信装置は、データ放送用の画像の例えばダイナミックレンジなどの画像信号特性を、そのオフセットまたはスケールファクタによって容易に変換することができる。
【００２０】
また、前記データ放送以外の放送である基幹放送用の映像を取得し、前記データ放送用の画像および前記基幹放送用の映像のそれぞれの画像信号特性が異なる場合には、少なくとも一方の前記画像信号特性を変換することによって、それぞれの前記画像信号特性を同一にし、前記基幹放送用の映像と、同一にされた前記画像信号特性を示す画像信号特性情報とを含む基幹放送信号を、前記基幹放送によって送信し、前記データ放送信号に含まれる前記画像信号特性情報は、同一にされた前記画像信号特性として前記ＯＥＴＦまたは前記ＥＯＴＦを示してもよい。
【００２１】
これにより、データ放送用の画像と基幹放送用の映像とのそれぞれの画像信号特性、つまりＯＥＴＦまたはＥＯＴＦが統一され、その統一された画像信号特性を示す画像信号特性情報が基幹放送によってもデータ放送によっても送信される。したがって、受信装置は、データ放送用の画像と基幹放送用の映像とのそれぞれに対するＯＥＴＦまたはＥＯＴＦを切り替えることなく、つまり表示処理を切り替えることなく、それらの画像および映像を同時に表示することができる。その結果、受信装置の実装を簡単にすることができる。また、統一された画像信号特性を示す画像信号特性情報が基幹放送によってもデータ放送によっても送信されるため、受信装置における基幹放送の受信処理とデータ放送の受信処理との間で、画像信号特性に関する連携が不要となる。その結果、受信装置の実装を簡単にすることができる。
【００２２】
例えば、前記基幹放送用の映像は、主映像、副映像、または前記主映像に対応する字幕でもよい。また、例えば、前記画像信号特性情報は、前記ＯＥＴＦまたは前記ＥＯＴＦと、ダイナミックレンジ、色域、およびホワイトポイントのうちの少なくとも１つとを前記画像信号特性として示してもよい。
【００２３】
また、本発明の一態様に係る受信方法は、第１の画像と、前記第１の画像の画像信号特性を示す第１の画像信号特性情報とを受信し、第２の画像と、前記第２の画像の画像信号特性を示す第２の画像信号特性情報とを受信し、前記第１および第２の画像信号特性情報が異なる場合には、前記第１および第２の画像のうちの少なくとも一方の画像信号特性を変換することによって、前記第１および第２の画像の画像信号特性を同一にし、同一の前記画像信号特性を有する前記第１および第２の画像を同時に表示する。例えば、前記第１および第２の画像信号特性情報は、ＯＥＴＦ（Ｏｐｔｏ−Ｅｌｅｃｔｒｉｃａｌ  Ｔｒａｎｓｆｅｒ  Ｆｕｎｃｔｉｏｎ）、ＥＯＴＦ（Ｅｌｅｃｔｒｏ−Ｏｐｔｉｃａｌ  Ｔｒａｎｓｆｅｒ  Ｆｕｎｃｔｉｏｎ）、ダイナミックレンジ、色域、およびホワイトポイントのうちの少なくとも１つを前記画像信号特性として示す。
【００２４】
これにより、第１の画像の画像信号特性が例えばＳＤＲのＯＥＴＦまたはＥＯＴＦであって、第２の画像の画像信号特性が例えばＨＤＲのＯＥＴＦまたはＥＯＴＦである場合には、それぞれ共に同一のＯＥＴＦまたはＥＯＴＦの第１および第２の画像が同時に表示される。これにより、第１および第２の画像の見易さを向上することができる。
【００２５】
また、前記受信方法では、さらに、前記第１および第２の画像が同時に表示されているときに、受信される前記第１および第２の画像信号特性情報のうちの第２の画像信号特性情報によって示される画像信号特性だけが切り替わった場合には、前記第２の画像の切り替わり後の画像信号特性を変換することによって、または、前記第２の画像の切り替わり前の画像信号特性に対して行われている変換を停止することによって、前記第１および第２の画像の画像信号特性を同一にし、前記第２の画像の画像信号特性の変換または変換の停止が行われた後に、同一の前記画像信号特性を有する前記第１および第２の画像を同時に表示してもよい。
【００２６】
これにより、第２の画像の画像信号特性だけが切り替わった場合でも、その切り替わり前後で、表示されている第１および第２の画像の画像信号特性を同一に維持することができる。したがって、その切り替わりによる視覚的な違和感を抑えることができる。
【００２７】
また、前記第１の画像および前記第１の画像信号特性情報の受信では、データ放送によって送信された前記第１の画像および前記第１の画像信号特性情報を受信し、前記第２の画像および前記第２の画像信号特性情報の受信では、データ放送以外の放送である基幹放送によって送信された前記第２の画像および前記第２の画像信号特性情報を受信してもよい。
【００２８】
これにより、例えば、データ放送の第１の画像がＳＤＲで表示されている状態で、その第１の画像と同時に表示されている基幹放送の第２の画像の画像信号特性がＳＤＲからＨＤＲに切り替わっても、その第２の画像はＳＤＲで表示され続ける。したがって、その切り替わりによる視覚的な違和感を抑えることができる。
【００２９】
また、前記第１の画像および前記第１の画像信号特性情報の受信では、通信ネットワークを介した通信によって送信された前記第１の画像および前記第１の画像信号特性情報を受信し、前記第２の画像および前記第２の画像信号特性情報の受信では、放送によって送信された前記第２の画像および前記第２の画像信号特性情報を受信してもよい。
【００３０】
これにより、例えば、通信の第１の画像がＳＤＲで表示されている状態で、その第１の画像と同時に表示されている放送の第２の画像の画像信号特性がＳＤＲからＨＤＲに切り替わっても、その第２の画像はＳＤＲで表示され続ける。したがって、その切り替わりによる視覚的な違和感を抑えることができる。
【００３１】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００３２】
以下、実施の形態について、図面を参照しながら具体的に説明する。
【００３３】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３４】
（実施の形態）
図１は、本実施の形態における送受信システムの構成の一例と、受信装置に表示される画面の一例とを示す図である。
【００３５】
送受信システムは、放送局にある送信装置１００と、例えば家などに配置されているテレビなどの受信装置２００とを含む。
【００３６】
送信装置１００は、衛星などを含む放送網を通じた放送によって放送コンテンツを受信装置２００に送信する。さらに、送信装置１００は、インターネットなどの通信ネットワークを通じた通信によって通信コンテンツを受信装置２００に送信する。放送コンテンツおよび通信コンテンツは、画像または音声を含む。画像は、例えば、映像、字幕、文字またはグラフィックである。また、放送には、互いに異なる基幹放送とデータ放送とがある。
【００３７】
受信装置２００は、放送コンテンツおよび通信コンテンツを受信して再生する。この再生によって、受信装置２００は、それらのコンテンツに含まれる複数の画像を、ディスプレイなどの表示装置の画面上に同時に表示する。
【００３８】
例えば、受信装置２００は、基幹放送の主映像および副映像である映像１および映像２と、データ放送の映像３と、データ放送の文字またはグラフィックと、通信の映像４と、通信の文字またはグラフィックとを同時に表示する。なお、主映像および副映像はそれぞれ、ピクチャ・イン・ピクチャにおいて同時に表示される映像である。
【００３９】
なお、送信されるコンテンツに含まれる画像には、従来の標準ダイナミックレンジ（ＳＤＲ）の輝度を有する画像と、そのダイナミックレンジを数倍から１００倍に拡大したハイダイナミックレンジ（ＨＤＲ）の輝度を有する画像とがある。
【００４０】
本実施の形態は、ＨＤＲの映像とＳＤＲの映像を受信装置２００の画面上に同時に表示するため方法および装置に関する。
【００４１】
図２は、受信装置２００がＨＤＲの主映像とＳＤＲの副映像とを同時に表示する例を示す図である。
【００４２】
本実施の形態における送信装置１００は、画像信号特性の一つであるダイナミックレンジが互いに異なる複数の画像を重畳して放送信号として送出する場合、それらの画像のＯＥＴＦ（光−電変換特性）あるいはＥＯＴＦ（電−光変換特性）を含む画像信号特性を統一する。そして、送信装置１００は、重畳した複数の画像と、それらの画像のＯＥＴＦ／ＥＯＴＦを含む画像信号特性情報を送出する。なお、本実施の形態において、ＯＥＴＦおよびＥＯＴＦ、あるいは、ＯＥＴＦまたはＥＯＴＦを、ＯＥＴＦ／ＥＯＴＦと表記する。
【００４３】
これにより、受信装置２００は、図２に示すように、ＨＤＲの主映像とＳＤＲの副映像とを同時に表示する際に、画面領域毎に画像信号特性に応じて表示処理を切り替える必要がなくなる。具体的には、各画像に適用されるＯＥＴＦ／ＥＯＴＦを切り替える必要がなくなる。その結果、受信装置２００の実装を簡単化することができる。
【００４４】
なお、本実施の形態では、画像に対応する画像信号特性および画像信号特性情報をそれぞれ、画像が映像であるか否かに関わらず、映像信号特性および映像信号特性情報と称する。また、映像信号特性情報は、画像の信号の特性（つまり映像信号特性）を表わす情報であって、その特性は、ＯＥＴＦ／ＥＯＴＦ、ダイナミックレンジ、色域、ホワイトポイントなどのうちの少なくとも１つである。
【００４５】
本実施の形態では、主映像および副映像のそれぞれの映像信号特性を、（１）主映像に合わせる、または、（２）ＨＤＲに統一するなどによって、それらの映像信号特性が統一されれば、（１）および（２）の何れを行ってもよい。
【００４６】
１番組など一定期間内においては、映像信号特性を、ＨＤＲあるいはＳＤＲのいずれか一方の映像信号特性に固定する運用とすることで、受信装置２００での表示処理の切換え頻度を低減でき、切換えによる映像の乱れを抑制することができる。
【００４７】
図３Ａは、本実施の形態における送信装置１００の構成の一例を示すブロック図である。
【００４８】
送信装置１００は、変換部１０１および１０５と、合成部１０２と、送出部１０３と、制御部１０４とを備える。
【００４９】
制御部１０４は、主映像の映像信号特性情報である主映像信号特性情報と、副映像の映像信号特性情報である副映像信号特性情報とを取得する。そして、制御部１０４は、主映像信号特性情報および副映像信号特性情報に基づいて、主映像の映像信号特性を、副映像の映像信号特性に変換するための制御信号を変換部１０１に出力する。あるいは、逆に、制御部１０４は、主映像信号特性情報および副映像信号特性情報に基づいて、副映像の映像信号特性を、主映像の映像信号特性に変換するための制御信号を変換部１０５に出力する。または、制御部１０４は、主映像信号特性情報および副映像信号特性情報に基づいて、主映像および副映像のそれぞれの映像信号特性を共にＨＤＲに変換するための、あるいは共にＳＤＲに変換するための制御信号を変換部１０１または１０５に出力する。
【００５０】
さらに、制御部１０４は、主映像および副映像のそれぞれに対して統一された映像信号特性、すなわち、それぞれに対して共通の映像信号特性を示す映像信号特性情報を、送出部１０３に出力する。
【００５１】
変換部１０１は、主映像を取得し、制御部１０４から出力される制御信号に基づいて、その主映像の映像信号特性を変換する。同様に、変換部１０５は、副映像を取得し、制御部１０４から出力される制御信号に基づいて、その副映像の映像信号特性を変換する。
【００５２】
合成部１０２は、変換部１０１および１０４から出力される主映像および副映像を合成（または重畳）して送出部１０３に出力する。
【００５３】
送出部１０３は、合成された主映像および副映像と、制御部１０４から出力される統一された映像信号特性情報とを含む信号を基幹放送信号として、放送（具体的には基幹放送）によって送信する。なお、送出部１０３は送信部である。
【００５４】
本実施の形態における送受信システムは、図３Ｂに示すように、送信装置１００の代わりに他の構成を有する送信装置を備えてもよい。
【００５５】
図３Ｂは、本実施の形態における送信装置の構成の他の例を示すブロック図である。
【００５６】
送信装置１００Ａは、上述の送信装置１００と同様の機能を有し、合成部１０２ａと、送出部１０３と、制御部１０４ａと、変換部１０５とを備える。
【００５７】
制御部１０４ａは、主映像信号特性情報と副映像信号特性情報とを取得する。そして、制御部１０４は、主映像信号特性情報および副映像信号特性情報に基づいて、副映像の映像信号特性を、主映像の映像信号特性に変換するための制御信号を変換部１０５に出力する。
【００５８】
変換部１０５は、副映像を取得し、制御部１０４ａから出力される制御信号に基づいて、その副映像の映像信号特性を変換する。
【００５９】
合成部１０２ａは、主映像を取得し、その主映像と、変換部１０５から出力される副映像とを合成（または重畳）して送出部１０３に出力する。
【００６０】
送出部１０３は、合成された主映像および副映像と、主映像信号特性情報とを含む信号を基幹放送信号として、放送（具体的には基幹放送）によって送信する。この主映像信号特性情報は、主映像および副映像のそれぞれに対して統一された映像信号特性、すなわち、それぞれに対して共通の映像信号特性を示す映像信号特性情報である。
【００６１】
このような送信装置１００および１００Ａでは、変換部１０１または１０５は、主映像または副映像の信号を、制御信号に応じてＳＤＲ信号からＨＤＲ信号に変換したり、ＨＤＲ信号からＳＤＲ信号に変換したりする。
【００６２】
図４は、受信装置２００が基幹放送の映像とデータ放送の映像などとを同時に表示する例を示す図である。
【００６３】
受信装置２００は、例えば、基幹放送の主映像および副映像である映像１および映像２と、データ放送の映像３と、データ放送の文字またはグラフィックとを同時に表示する。
【００６４】
ここで、基幹放送の主映像と、基幹放送の副映像、あるいはデータ放送の画像（映像、文字またはグラフィック）との間で、ダイナミックレンジなどの映像信号特性が異なる場合がある。
【００６５】
このような場合、本実施の形態における送受信システムは、送信装置１００または１００Ａの代わりに、図５に示すように、基幹放送の主映像以外の各画像の映像信号特性を、基幹放送の主映像の映像信号特性に統一する送信装置を備えてもよい。これにより、受信装置２００は放送種別毎に映像信号特性情報を切り替える必要がなくなり、受信装置２００の実装を簡単化することができる。
【００６６】
図５は、本実施の形態における送信装置の構成の他の例を示すブロック図である。
【００６７】
送信装置１００Ｂは、送出部（送信部）１１１および１１６と、制御部１１２、１１４および１１７と、変換部１１３、１１５および１１８とを備える。
【００６８】
制御部１１２は、主映像信号特性情報と副映像信号特性情報とを取得する。そして、制御部１１２は、主映像信号特性情報および副映像信号特性情報に基づいて、副映像の映像信号特性を、主映像の映像信号特性に変換するための制御信号を変換部１１３に出力する。
【００６９】
変換部１１３は、副映像を取得し、制御部１１２から出力される制御信号に基づいて、その副映像の映像信号特性を変換する。
【００７０】
送出部１１１は、主映像と、主映像信号特性情報と、変換部１１３から出力される副映像とを取得し、それらを含む信号を基幹放送信号として基幹放送によって送信する。
【００７１】
制御部１１４は、データ放送の映像の映像信号特性情報であるデータ放送映像信号特性情報と、主映像信号特性情報とを取得する。そして、制御部１１２は、データ放送映像信号特性情報および主映像信号特性情報に基づいて、データ放送の映像の映像信号特性を、主映像の映像信号特性に変換するための制御信号を変換部１１５に出力する。
【００７２】
変換部１１５は、データ放送の映像であるデータ放送映像を取得し、制御部１１４から出力される制御信号に基づいて、そのデータ放送映像の映像信号特性を変換する。
【００７３】
制御部１１７は、データ放送の文字またはグラフィックの映像信号特性情報であるデータ放送グラフィック信号特性情報と、主映像信号特性情報とを取得する。そして、制御部１１７は、データ放送グラフィック信号特性情報および主映像信号特性情報に基づいて、データ放送の文字またはグラフィックの映像信号特性を、主映像の映像信号特性に変換するための制御信号を変換部１１８に出力する。
【００７４】
変換部１１８は、データ放送の文字またはグラフィックであるデータ放送グラフィックを取得し、制御部１１７から出力される制御信号に基づいて、そのデータ放送グラフィックの映像信号特性を変換する。
【００７５】
送出部１１６は、主映像信号特性情報と、変換部１１５から出力されるデータ放送映像と、変換部１１８から出力されるデータ放送グラフィックとを取得し、それらを含む信号をデータ放送信号としてデータ放送によって送信する。
【００７６】
このように本実施の形態における送信装置１００Ｂは、基幹放送信号およびデータ放送信号のそれぞれに、映像信号特性情報を含める。これにより、受信装置２００における基幹放送信号の受信処理とデータ放送信号の受信処理との間で、映像信号特性に関する連携が不要となり、受信装置２００の実装を簡単化することができる。
【００７７】
また、受信装置２００が基幹放送信号とデータ放送信号とを一対で必ず受信および処理することができる場合には、送信装置１００Ｂは、データ放送信号における映像信号特性情報を省略してもよい。この場合、本実施の形態における送信方法は、データ放送用の画像を取得し、前記データ放送以外の放送である基幹放送用の映像を取得し、前記データ放送用の画像および前記基幹放送用の映像のそれぞれの画像信号特性が異なる場合には、少なくとも一方の前記画像信号特性を変換することによって、それぞれの前記画像信号特性を同一にし、前記データ放送用の画像を含むデータ放送信号をデータ放送によって送信し、前記基幹放送用の映像と、同一にされた前記画像信号特性を示す画像信号特性情報とを含む基幹放送信号を、前記基幹放送によって送信する、送信方法である。
【００７８】
本実施の形態における送受信システムは、図６に示すように、送信装置１００Ｂの代わりに他の構成を有する送信装置を備えてもよい。
【００７９】
図６は、本実施の形態における送信装置の構成の他の例を示すブロック図である。
【００８０】
送信装置１００Ｃは、送出部（送信部）１１１および１１６ａと、制御部１１２、１１４および１１７ａと、変換部１１３および１１５とを備える。
【００８１】
制御部１１７ａは、データ放送の文字またはグラフィックの映像信号特性情報であるデータ放送グラフィック信号特性情報と、主映像信号特性情報とを取得する。そして、制御部１１７ａは、データ放送グラフィック信号特性情報および主映像信号特性情報に基づいて、データ放送の文字またはグラフィックの映像信号特性を、主映像の映像信号特性に変換するための変換情報を送出部１１６ａに出力する。変換情報は、具体的には、オフセットまたはスケールファクタなどである。
【００８２】
送出部１１６ａは、制御部１１７ａから出力される変換情報と、主映像信号特性情報と、変換部１１５から出力されるデータ放送映像と、データ放送グラフィックとを取得し、それらを含む信号をデータ放送信号としてデータ放送によって送信する。
【００８３】
この送信装置１００Ｃでは、データ放送の文字またはグラフィックの映像信号特性の変換を行わずに、変換情報（オフセットやスケールファクタなど）を送信する。これにより、受信装置２００では、データ放送の文字またはグラフィックの映像信号特性（例えばダイナミックレンジ）を、基幹放送の主映像の映像信号特性に合わせるための変換を容易に行うことができる。
【００８４】
このように本実施の形態における送信方法では、データ放送用の画像と、当該画像の画像信号特性としてＯＥＴＦまたはＥＯＴＦを示す画像信号特性情報とを取得する。そして、そのデータ放送用の画像および画像信号特性情報を含むデータ放送信号を、データ放送によって送信する。ここで、その画像信号特性情報の取得では、その画像が文字またはグラフィックである場合、ＯＥＴＦまたはＥＯＴＦの代わりに、その画像に含まれる各コード値に対するオフセットまたはスケールファクタを示す画像信号特性情報を取得してもよい。
【００８５】
また、本実施の形態における送信方法では、さらに、そのデータ放送以外の放送である基幹放送用の映像を取得する。そして、そのデータ放送用の画像および基幹放送用の映像のそれぞれの画像信号特性が異なる場合には、少なくとも一方の前記画像信号特性を変換することによって、それぞれの前記画像信号特性を同一する。次に、その基幹放送用の映像と、同一にされた画像信号特性を示す画像信号特性情報とを含む基幹放送信号を、基幹放送によって送信する。ここで、そのデータ放送信号に含まれる画像信号特性情報は、同一にされた画像信号特性としてＯＥＴＦまたはＥＯＴＦを示す。
【００８６】
ここで、映像信号特性の変換について具体的に説明する。
【００８７】
図７は、ＨＤＲのＥＯＴＦおよびＳＤＲのＥＯＴＦを示す図である。
【００８８】
上述の各変換部は、画像の映像信号特性の１つであるダイナミックレンジをＳＤＲからＨＤＲに変換する際には、その画像に含まれるＳＤＲのＥＯＴＦにおけるコード値を、ＨＤＲのＥＯＴＦにおけるコード値に変換する。図７は、ダイナミックレンジを、ピーク輝度が１００ｎｉｔであるＳＤＲから、ピーク輝度が１０００ｎｉｔであるＨＤＲに変換する場合の、コード値の変換例を示す。
【００８９】
図７に示す例では、上記各変換部は、ＳＤＲの画像の輝度範囲（ダイナミックレンジ）が、ＨＤＲの画像の輝度範囲に変換されるように、ＳＤＲのＥＯＴＦにおけるコード値を、ＨＤＲのＥＯＴＦにおけるコード値に変換している。しかし、上記各変換部は、ＳＤＲの画像の輝度範囲が変換されないように、ＳＤＲのＥＯＴＦにおけるコード値を、ＨＤＲのＥＯＴＦにおけるコード値に変換してもよい。この場合、上記各変換部は、変換前のＳＤＲのＥＯＴＦにおけるコード値に対応する輝度が、変換後のＨＤＲのＥＯＴＦにおけるコード値に対応する輝度と同一となるように、ＳＤＲのＥＯＴＦにおけるコード値を変換する。つまり、上記各変換部は、ＳＤＲのＥＯＴＦにおける点を、ＨＤＲのＥＯＴＦの曲線に対して水平方向に射影することによって、ＳＤＲのＥＯＴＦにおけるコード値を変換する。
【００９０】
このようなコード値の変換によって、画像の映像信号特性が変換される。また、このような変換によって、複数の画像の映像信号特性が統一される。その結果、受信装置２００において、これらの画像に適用されるＥＯＴＦ／ＯＥＴＦ（映像信号特性情報）も統一される。その結果、受信装置２００は、図２に示すように、ＨＤＲの主映像とＳＤＲの副映像とを同時に表示する際に、画面領域毎に画像信号特性に応じて表示処理を切り替える必要がなくなる。具体的には、各画像に適用されるＯＥＴＦ／ＥＯＴＦを切り替える必要がなくなる。その結果、受信装置２００の実装を簡単化することができる。
【００９１】
ここで、ＨＤＲのピーク輝度は、絶対値であっても、あるいは、ＳＤＲのダイナミックレンジに対するスケーリング係数などの相対値であってもよい。また、そのピーク輝度を、データ放送における多重化レイヤの補助情報などに含めてもよい。
【００９２】
多重化レイヤとしては、ＭＰＥＧ‐２  ＴＳ（Ｔｒａｎｓｐｏｒｔ  Ｓｔｒｅａｍ）またはＭＰＥＧ‐Ｈ  ＭＭＴ（ＭＰＥＧ  Ｍｅｄｉａ  Ｔｒａｎｓｐｏｒｔ）などが用いられる。補助情報は、例えば、ＴＳのセクションまたはＭＭＴのメッセージ内の記述子などにより格納される。さらに、ダイナミックレンジの切り替えを番組単位で行う場合は、送信装置は、ＥＩＴ（Ｅｖｅｎｔ  Ｉｎｆｏｒｍａｔｉｏｎ  Ｔａｂｌｅ）などの番組情報において、番組がＳＤＲおよびＨＤＲのいずれであるかを示してもよい。
【００９３】
ダイナミックレンジをＨＤＲに変換する際のＨＤＲのピーク輝度は、受信装置２００において予め設定されているデフォルト値、またはそのデフォルト値を用いて得られる値でもよい。例えば、受信装置２００は、放送または通信などによって送信されるデータに、ＨＤＲへの変換時のピーク輝度などを示す変換情報が含まれる場合には、そのピーク輝度にしたがってＨＤＲへの変換を行う。一方、その変換情報が含まれていない場合には、受信装置２００は、自らに設定されているデフォルト値、またはそのデフォルト値を用いて得られる値にしたがってＨＤＲへの変換を行ってもよい。受信装置２００は、ＨＤＲからＳＤＲへのダイナミックレンジの変換も同様に行うことができる。
【００９４】
ＨＤＲのＥＯＴＦとしては、ＨＤＲとＳＤＲの両方に対して同一のコード値を適用可能なハイブリッド型のＥＯＴＦを用いることもできる。例えば、受信装置２００は、ハイブリッド型のＨＤＲである画像１に、ＳＤＲの画像２を重畳して、それらの画像をＳＤＲとして出力する際には、画像１と画像２の画素値を共にＳＤＲとみなして重畳できる。したがって、送信装置は、主映像、副映像、またはデータ放送の画像などのＨＤＲ属性として、ハイブリッド型であるかどうかを識別する情報を付与してもよい。
【００９５】
図８は、受信装置２００が基幹放送の字幕を他の映像と同時に表示する例を示す図である。
【００９６】
受信装置２００は、例えば、基幹放送の主映像である映像１と、基幹放送の主映像の字幕である字幕１と、データ放送の映像３と、データ放送の文字またはグラフィックとを同時に表示する。なお、本実施の形態において、基幹放送用の映像は、主映像、副映像、またはその主映像に対応する字幕である。
【００９７】
送信装置（上述の送信装置１００，１００Ａ〜Ｃのうちの何れかの装置）は、基幹放送における字幕を、主映像および副映像などの映像とは独立して送信する。送信装置は、字幕の映像信号特性を、その字幕が重畳される映像の映像信号特性に統一し、その字幕を送出する。
【００９８】
字幕は、Ｗ３Ｃ（Ｗｏｒｌｄ  Ｗｉｄｅ  Ｗｅｂ  Ｃｏｎｓｏｒｔｉｕｍ）のＴＴＭＬ（Ｔｉｍｅｄ  Ｔｅｘｔ  Ｍａｒｋｕｐ  Ｌａｎｇｕａｇｅ）などＸＭＬ（Ｅｘｔｅｎｓｉｂｌｅ  Ｍａｒｋｕｐ  Ｌａｎｇｕａｇｅ）ベースの言語で記述され、字幕の色または輝度値は、ＲＧＢ値で表現される。したがって、ＸＭＬにおいて指定されるＲＧＢ値が、ＳＤＲあるいはＨＤＲのどちらのＯＥＴＦ／ＥＯＴＦに対応した値であるかを識別する情報をＸＭＬ文書内に付与してもよく、あるいは、その情報を字幕全体の映像信号特性情報として送信してもよい。
【００９９】
データ放送もＨＴＭＬ（ＨｙｐｅｒＴｅｘｔ  Ｍａｒｋｕｐ  Ｌａｎｇｕａｇｅ）などのアプリケーションにより構成される。データ放送の映像信号特性情報は、アプリケーション全体の映像信号特性として、ＳＤＲあるいはＨＤＲのいずれかを示してもよい。また、データ放送の映像信号特性情報は、ＨＴＭＬにより参照される動画、静止画、あるいは文字のそれぞれが、ＳＤＲあるいはＨＤＲのいずれであるかを、ＨＴＭＬのタグなどを用いて示してもよい。
【０１００】
同時に表示される字幕を含む複数の画像の映像信号特性としては、ダイナミックレンジだけでなく、色域がある。特に、４Ｋなどの高解像度画像においては、従来のＢＴ．７０９（Ｒｅｃｏｍｍｅｎｄａｔｉｏｎ  ＩＴＵ−Ｒ  ＢＴ．７０９）に加えて、ＢＴ．７０９よりも広い色域を表現可能なＢＴ．２０２０（Ｒｅｃｏｍｍｅｎｄａｔｉｏｎ  ＩＴＵ−Ｒ  ＢＴ．２０２０）を用いることが想定される。受信装置２００は、色域の異なる画像を同時に表示する際には、それらの色域をどちらか一方の色域に統一する必要がある。この場合も、送信装置（または受信装置２００）は、ダイナミックレンジ（またはＯＥＴＦ／ＥＯＴＦ）と同様の基準により、統一後の色域を決定することができる。
【０１０１】
図９は、本実施の形態における受信装置２００の構成の一例を示すブロック図である。
【０１０２】
受信装置２００は、放送受信部２０１と、通信受信部２０２と、制御部２０３と、変換部２０４と、表示部２０５とを備える。
【０１０３】
放送受信部２０１は、基幹放送信号を受信し、基幹放送信号に含まれる映像を表示部２０５に出力する。このとき、放送受信部２０１は、その映像に対して、基幹放送信号に含まれる映像信号特性情報を適用することにより、その映像のデータ形式を表示部２０５によって処理され得る形式に変換してもよい。例えば、放送受信部２０１は、ＥＯＴＦを適用することにより、その映像に含まれるコード値を輝度に変換する。放送受信部２０１は、このようなデータ形式が変換された映像を表示部２０５に出力する。さらに、放送受信部２０１は、基幹放送信号に含まれるその映像信号特性情報を基幹放送映像信号特性情報として制御部２０３に出力する。
【０１０４】
通信受信部２０２は、通信信号を受信し、通信信号に含まれる映像を通信映像として変換部２０４に出力し、通信信号に含まれる映像信号特性情報を通信映像信号特性情報として制御部２０３に出力する。なお、通信信号は、インターネットなどの通信ネットワークを介した通信によって送信される信号である。
【０１０５】
制御部２０３は、基幹放送映像信号特性情報と通信映像信号特性情報とを取得する。そして、制御部１０４は、基幹放送映像信号特性情報および通信映像信号特性情報に基づいて、通信映像の映像信号特性を、基幹放送の映像の映像信号特性に変換するための制御信号を変換部２０４に出力する。
【０１０６】
変換部２０４は、通信映像を通信受信部２０２から取得し、制御部２０３から出力される制御信号に基づいて、その通信映像の映像信号特性を変換する。さらに、変換部２０４は、放送受信部２０１から制御部２０３を介して基幹放送映像信号特性情報を取得し、その基幹放送映像信号特性情報を、変換された映像信号特性を有する通信映像に適用してもよい。この適用によって、変換部２０４は、通信映像のデータ形式を表示部２０５によって処理され得る形式に変換する。例えば、変換部２０４は、ＥＯＴＦを適用することにより、通信映像に含まれるコード値を輝度に変換する。変換部２０４は、このようなデータ形式が変換された通信映像を表示部２０５に出力する。
【０１０７】
表示部２０５は、表示装置であって、放送受信部２０１から出力される基幹放送の映像と、変換部２０４から出力される通信映像とを同時に表示する。
【０１０８】
基幹放送およびデータ放送の映像信号特性は、上述の送信装置１００などによって統一されていたとしても、それらの映像信号特性と通信の映像信号特性（例えば、ＯＥＴＦ／ＥＯＴＦまたはダイナミックレンジなど）とが一致しない場合がある。本実施の形態における受信装置２００は、このような場合には、通信の映像信号特性が放送の映像信号特性に一致するように、通信映像の映像信号特性を変換して、その変換後の通信映像を表示する。これにより、通信映像の見易さを向上することができる。
【０１０９】
なお、何れの画像においても映像信号特性は統一されていればよく、データ放送の画像または通信の画像などを基準に、各画像の映像信号特性を統一してもよい。
【０１１０】
受信装置２００は、表示部２０５に表示される選局情報または音量などのＯＳＤ（Ｏｎ  Ｓｃｒｅｅｎ  Ｄｉｓｐｌａｙ）の映像信号特性（明るさ、色合い、またはコントラストなど）を、基幹放送の映像信号特性に応じて変えてもよい。例えば、受信装置２００は、基幹放送の映像のダイナミックレンジがＨＤＲである場合には、選局情報または音量などのＯＳＤのコントラストを強めて表示することで視認性を向上させることができる。
【０１１１】
図１０は、本実施の形態における受信装置２００の処理動作を示すフローチャートである。
【０１１２】
受信装置２００の制御部２０３は、基幹放送映像信号特性情報と、通信映像信号特性情報とが同じか否かを判定する（ステップＳ１０１）。ここで、制御部２０３は、同じであると判定すると（ステップＳ１０１のＹｅｓ）、通信映像の映像信号特性を変換しない制御信号を変換部２０４に出力する（ステップＳ１０２）。一方、制御部２０３は、同じでないと判定すると（ステップＳ１０１のＮｏ）、通信映像の映像信号特性の変換を指示する制御信号を変換部２０４に出力する（ステップＳ１０３）。
【０１１３】
このように、本実施の形態における受信方法では、第１の画像と、その第１の画像の画像信号特性を示す第１の画像信号特性情報とを受信する。次に、第２の画像と、その第２の画像の画像信号特性を示す第２の画像信号特性情報とを受信する。そして、第１および第２の画像信号特性情報が異なる場合には、その第１および第２の画像のうちの少なくとも一方の画像信号特性を変換することによって、第１および第２の画像の画像信号特性を同一にする。さらに、同一の画像信号特性を有する第１および第２の画像を同時に表示する。ここで、第１および第２の画像信号特性情報は、ＯＥＴＦ、ＥＯＴＦ、ダイナミックレンジ、色域、およびホワイトポイントのうちの少なくとも１つを画像信号特性として示す。ここで、上述の第１の画像および第１の画像信号特性情報の受信では、通信ネットワークを介した通信によって送信された第１の画像および第１の画像信号特性情報を受信する。上述の第２の画像および第２の画像信号特性情報の受信では、放送によって送信された第２の画像および第２の画像信号特性情報を受信する。または、その第１の画像および第１の画像信号特性情報の受信では、データ放送によって送信された第１の画像および第１の画像信号特性情報を受信してもよい。同様に、第２の画像および第２の画像信号特性情報の受信では、データ放送以外の放送である基幹放送によって送信された第２の画像および第２の画像信号特性情報を受信してもよい。
【０１１４】
図１１は、本実施の形態における受信装置によって表示される画像の遷移の一例を示す図である。
【０１１５】
例えば、受信装置が複数の映像を同時に表示中に、一部の映像のダイナミックレンジがＳＤＲからＨＤＲに切り替わる、あるいは、ＨＤＲからＳＤＲなどに切り替わることがある。特徴的な例として、受信装置がデータ放送の画像を表示中に、主映像の番組のダイナミックレンジが切り替わることが想定される。このとき、データ放送の画像を表示中に、主映像の輝度のダイナミックレンジが切り替わると、切り替えの前後で同一の映像の明るさが変化して視覚的に違和感を生じる。
【０１１６】
そこで、本実施の形態における送受信システムは、受信装置２００の代わりに受信装置２００Ａを備えてもよい。この受信装置２００Ａは、データ放送の画像を表示しているときにはダイナミックレンジを固定にする。
【０１１７】
例えば、図１１の（ａ）に示すように、受信装置２００Ａがデータ放送の画像（具体的には、映像３、文字またはグラフィックなど）と基幹放送の主映像である番組１とを表示しているときに、図１１の（ｂ）に示すように、主映像が番組１から番組２に切り替わる。ここで、番組１のダイナミックレンジはＳＤＲであり、番組２のダイナミックレンジはＨＤＲであり、データ放送の画像のダイナミックレンジは番組１の再生時からＳＤＲである。
【０１１８】
本実施の形態における受信装置２００Ａは、主映像がＳＤＲの番組１からＨＤＲの番組２に切り替わった後でも、図１１の（ｂ）に示すように、データ放送の画像をＳＤＲで表示しているときには、主映像である番組２をＳＤＲで表示する。つまり、受信装置２００Ａは、番組２の映像信号特性を、ＳＤＲの映像信号特性に変換し、その番組２に対してはＳＤＲのＥＯＴＦ／ＯＥＴＦを適用する。そして、図１１の（ｃ）に示すように、受信装置２００Ａは、データ放送の画像の表示を終了した後に、番組２をＨＤＲで表示する。つまり、受信装置２００Ａは、番組２の映像信号特性を変換せず、その番組２に対してＨＤＲのＥＯＴＦ／ＯＥＴＦを適用する。
【０１１９】
このように、本実施の形態における受信装置２００Ａは、複数の映像を表示中に、一部の映像の受信時におけるダイナミックレンジが切り替わる場合には、既に表示中の映像のダイナミックレンジの切り替わりが発生しないように、その映像をＨＤＲあるいはＳＤＲのどちらで表示するかを決定する。つまり、受信装置２００Ａは、既に表示中の映像の映像信号特性を変換するか、変換しないかを制御する。
【０１２０】
なお、受信装置２００Ａは、データ放送の画像を表示しているときに、表示されている基幹放送の主映像のダイナミックレンジの切り替わりが発生しないように、その主映像の映像信号特性の変換を制御する。しかし、受信装置２００Ａは、データ放送の画像と基幹放送の主映像とに対してのみ、そのような制御を行うことなく、どのような複数の画像に対しても、上述のような制御を行ってもよい。例えば、受信装置２００Ａは、通信映像と基幹放送の映像とに対して、上述のような制御を行ってもよい。
【０１２１】
図１２は、本実施の形態における受信装置２００Ａの構成の一例を示すブロック図である。
【０１２２】
受信装置２００Ａは、放送受信部２０１と、通信受信部２０２と、制御部２０３ａと、変換部２０４および２０６と、表示部２０５とを備える。
【０１２３】
放送受信部２０１は、基幹放送信号を受信し、基幹放送信号に含まれる映像を変換部２０６に出力する。さらに、放送受信部２０１は、基幹放送信号に含まれるその映像信号特性情報を基幹放送映像信号特性情報として制御部２０３ａに出力する。
【０１２４】
通信受信部２０２は、通信信号を受信し、通信信号に含まれる映像を通信映像として変換部２０４に出力し、通信信号に含まれる映像信号特性情報を通信映像信号特性情報として制御部２０３ａに出力する。
【０１２５】
制御部２０３ａは、基幹放送映像信号特性情報と通信映像信号特性情報とを取得する。そして、制御部２０３ａは、基幹放送映像信号特性情報および通信映像信号特性情報に基づいて、制御信号を変換部２０４および２０６に出力する。この制御信号は、基幹放送の映像および通信映像のそれぞれの映像信号特性を共にＨＤＲに変換するための、あるいは共にＳＤＲに変換するための信号である。つまり、制御部２０３ａは、基幹放送の映像および通信映像の表示中に、何れか一方の映像の映像信号特性が切り替わった場合、つまり、両方の映像の映像信号特性が異なった場合には、その一方の映像の映像信号特性を変換するための制御信号を出力する。この変換によって、一方の映像の映像信号特性は、切り替わり前後で同一となり、両方の映像の映像信号特性が同一の状態に維持される。
【０１２６】
なお、上述の一方の映像の映像信号特性が変換されているときに、その映像信号特性が切り替わった場合には、制御部２０３ａは、変換部２０４または２０６にその変換を停止させることによって、両方の映像の映像信号特性が同一の状態に維持してもよい。具体的には、通信映像の映像信号特性のＳＤＲからＨＤＲへの変換が変換部２０４によって行われていることによって、基幹放送の映像と通信映像とが共にＨＤＲで表示されている。このような状況において、通信受信部２０２によって受信されているその映像信号特性がＳＤＲからＨＤＲに切り替わった場合には、制御部２０３ａは、その変換部２０４による変換を停止させる。これにより、その映像信号特性の切り替わり前後で、基幹放送の映像と通信映像とを共にＨＤＲで継続して表示させることができる。
【０１２７】
変換部２０４は、通信映像を通信受信部２０２から取得し、制御部２０３ａから出力される制御信号に基づいて、その通信映像の映像信号特性を変換する。さらに、変換部２０４は、変換された映像信号特性に応じた映像信号特性情報を制御部２０３ａから取得し、その映像信号特性情報を、変換された映像信号特性を有する通信映像に適用してもよい。この適用によって、変換部２０４は、通信映像のデータ形式を表示部２０５によって処理され得る形式に変換する。例えば、変換部２０４は、ＥＯＴＦを適用することにより、通信映像に含まれるコード値を輝度に変換する。変換部２０４は、このようなデータ形式が変換された通信映像を表示部２０５に出力する。
【０１２８】
変換部２０６は、基幹放送の映像を放送受信部２０１から取得し、制御部２０３ａから出力される制御信号に基づいて、その基幹放送の映像の映像信号特性を変換する。さらに、変換部２０６は、変換された映像信号特性に応じた映像信号特性情報を制御部２０３ａから取得し、その映像信号特性情報を、変換された映像信号特性を有する基幹放送の映像に適用してもよい。この適用によって、変換部２０６は、基幹放送の映像のデータ形式を表示部２０５によって処理され得る形式に変換する。例えば、変換部２０６は、ＥＯＴＦを適用することにより、基幹放送の映像に含まれるコード値を輝度に変換する。変換部２０６は、このようなデータ形式が変換された基幹放送の映像を表示部２０５に出力する。
【０１２９】
表示部２０５は、表示装置であって、変換部２０６から出力される基幹放送の映像と、変換部２０４から出力される通信映像とを同時に表示する。
【０１３０】
図１３は、本実施の形態における受信装置２００Ａの処理動作を示すフローチャートである。
【０１３１】
まず、受信装置２００Ａの制御部２０３ａは、表示されている複数の映像のうちの何れかの映像信号特性が切り替わったか否かを判定する（ステップＳ１００）。ここで、切り替わったと判定すると（ステップＳ１００のＹｅｓ）、制御部２０３ａは、切り替わり前後の映像信号特性が同じになるように、映像信号特性を変換する、あるいは変換しないことを指示する制御信号を変換部２０４または２０６に出力する。
【０１３２】
一方、切り替わっていないと判定すると（ステップＳ１００のＮｏ）、制御部２０３ａは、基幹放送映像信号特性情報と通信映像信号特性情報とが同じか否かを判定する（ステップＳ１０１）。ここで、制御部２０３ａは、同じであると判定すると（ステップＳ１０１のＹｅｓ）、映像信号特性を変換しない制御信号を変換部２０４および２０６に出力する（ステップＳ１０２）。一方、制御部２０３ａは、同じでないと判定すると（ステップＳ１０１のＮｏ）、基幹放送の映像および通信映像のうちの少なくとも一方の映像の映像信号特性の変換を指示する制御信号を変換部２０４および変換部２０６に出力する（ステップＳ１０３）。
【０１３３】
このように、本実施の形態における受信方法では、第１および第２の画像が同時に表示されているときに、受信される第１および第２の画像信号特性情報のうちの第２の画像信号特性情報によって示される画像信号特性だけが切り替わった場合には、その第２の画像の切り替わり後の画像信号特性を変換することによって、または、その第２の画像の切り替わり前の画像信号特性に対して行われている変換を停止することによって、第１および第２の画像の画像信号特性を同一にする。そして、第２の画像の画像信号特性の変換または変換の停止が行われた後に、同一の画像信号特性を有する第１および第２の画像を同時に表示する。
【０１３４】
これにより、第２の画像の画像信号特性だけが切り替わった場合でも、その切り替わり前後で、表示されている第１および第２の画像の画像信号特性を同一に維持することができる。したがって、その切り替わりによる視覚的な違和感を抑えることができる。
【０１３５】
（まとめ）
図１４Ａは、本発明の一態様に係る送信方法を示すフローチャートである。
【０１３６】
本発明の一態様に係る送信方法は、ステップＳ１１とステップＳ１２とを含む。ステップＳ１１では、データ放送用の画像と、当該画像の画像信号特性としてＯＥＴＦまたはＥＯＴＦを示す画像信号特性情報とを取得する。ステップＳ１２では、そのデータ放送用の画像および画像信号特性情報を含むデータ放送信号を、データ放送によって送信する。
【０１３７】
図１４Ｂは、本発明の一態様に係る送信装置の構成を示すブロック図である。
【０１３８】
本発明の一態様に係る送信装置１０は、取得部１１と送信部１２とを備える。取得部１１は、データ放送用の画像と、当該画像の画像信号特性としてＯＥＴＦまたはＥＯＴＦを示す画像信号特性情報とを取得する。送信部１２は、そのデータ放送用の画像および画像信号特性情報を含むデータ放送信号を、データ放送によって送信する。
【０１３９】
これにより、データ放送用の画像（例えばグラフィック）のダイナミックレンジがＳＤＲであってもＨＤＲであっても、それに応じたＯＥＴＦまたはＥＯＴＦを示す画像信号特性情報を含むデータ放送信号がデータ放送によって送信される。つまり、ＳＤＲで作成されたグラフィックのデータ放送による提供と、ＨＤＲで作成されたグラフィックのデータ放送による提供とが混在する環境であっても、それに応じたＯＥＴＦまたはＥＯＴＦがそのグラフィックと共にデータ放送によって送信される。したがって、このような環境であっても、テレビなどの受信装置は、そのＯＥＴＦまたはＥＯＴＦを用いることにより、データ放送用のグラフィックなどの画像を適切なダイナミックレンジで表示することができる。
【０１４０】
図１５Ａは、本発明の一態様に係る受信方法を示すフローチャートである。
【０１４１】
本発明の一態様に係る受信方法は、ステップＳ２１〜Ｓ２４を含む。
【０１４２】
ステップＳ２１では、第１の画像と、その第１の画像の画像信号特性を示す第１の画像信号特性情報とを受信する。ステップＳ２２では、第２の画像と、その第２の画像の画像信号特性を示す第２の画像信号特性情報とを受信する。ステップＳ２３では、第１および第２の画像信号特性情報が異なる場合には、その第１および第２の画像のうちの少なくとも一方の画像信号特性を変換することによって、その第１および第２の画像の画像信号特性を同一にする。ステップＳ２４では、同一の画像信号特性を有する第１および第２の画像を同時に表示する。
【０１４３】
図１５Ｂは、本発明の一態様に係る受信装置の構成を示すブロック図である。
【０１４４】
本発明の一態様に係る受信装置２０は、第１の受信部２１と、第２の受信部２２と、変換部２３と、表示部２４とを備える。
【０１４５】
第１の受信部２１は、第１の画像と、その第１の画像の画像信号特性を示す第１の画像信号特性情報とを受信する。第２の受信部２２は、第２の画像と、その第２の画像の画像信号特性を示す第２の画像信号特性情報とを受信する。変換部２３は、第１および第２の画像信号特性情報が異なる場合には、その第１および第２の画像のうちの少なくとも一方の画像信号特性を変換することによって、その第１および第２の画像の画像信号特性を同一にする。表示部２４は、同一の画像信号特性を有する第１および第２の画像を同時に表示する。
【０１４６】
これにより、第１の画像の画像信号特性が例えばＳＤＲのＯＥＴＦまたはＥＯＴＦであって、第２の画像の画像信号特性が例えばＨＤＲのＯＥＴＦまたはＥＯＴＦである場合には、それぞれ共に同一のＯＥＴＦまたはＥＯＴＦの第１および第２の画像が同時に表示される。これにより、第１および第２の画像の見易さを向上することができる。
【０１４７】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の送信装置または受信装置を実現するソフトウェアは、図１０、図１３、図１４Ａまたは図１５Ａに示すフローチャートに含まれる各ステップをコンピュータに実行させるプログラムである。
【０１４８】
以上、一つまたは複数の態様に係る送信装置および受信装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１４９】
本発明は、画像を適切に表示することができるという効果を奏し、例えば、テレビの映像、字幕、文字、またはグラフィックなどの画像を放送または通信によって送信する送信装置と、それらの画像を受信して表示するテレビなどの受信装置とに利用可能である。
【符号の説明】
【０１５０】
１０，１００，１００Ａ〜１００Ｃ    送信装置
１１    取得部
１２    送信部
２０，２００，２００Ａ    受信装置
２１    第１の受信部
２２    第２の受信部
２３，１０１，１０５，１１３，１１５，１１８，２０４，２０６    変換部
２４，２０５    表示部
１０２，１０２ａ    合成部
１０３，１１１，１１６，１１６ａ    送出部（送信部）
１０４，１０４ａ，１１２，１１４，１１７，１１７ａ，２０３，２０３ａ    制御部
２０１    放送受信部
２０２    通信受信部
【図１】
2020198612.tif 000003
【図２】
2020198612.tif 000004
【図３Ａ】
2020198612.tif 000005
【図３Ｂ】
2020198612.tif 000006
【図４】
2020198612.tif 000007
【図５】
2020198612.tif 000008
【図６】
2020198612.tif 000009
【図７】
2020198612.tif 000010
【図８】
2020198612.tif 000011
【図９】
2020198612.tif 000012
【図１０】
2020198612.tif 000013
【図１１】
2020198612.tif 000014
【図１２】
2020198612.tif 000015
【図１３】
2020198612.tif 000016
【図１４Ａ】
2020198612.tif 000017
【図１４Ｂ】
2020198612.tif 000018
【図１５Ａ】
2020198612.tif 000019
【図１５Ｂ】
2020198612.tif 000020